(57)【要約】【課題】景品等の内容物を収納し、ボトル詰め商品に添付して販売するために用いる容器であって、内容物を安全に収納し、ボトルの首部に簡単に装着できると共に、外観がスマートで、更にボトルへの取り付け位置を高くでき、ボトルのデザインを隠すことも防止できるようにした景品等添付用の容器を提供する。【解決手段】景品等添付用の容器を、板紙などを打ち抜いてなるブランク板を用いて、内容物を収納する容器本体部５０と、その背面に設けられたボトルの首部に装着するための装着部２　とで形成すると共に、容器本体部５０を、外側に弓形に張り出す前後の壁面板、即ち、前面板３　及び背面板５　と、その前後の壁面板の左右両側に連設された側面を閉鎖する側面板とで形成する。尚、装着部２　は、容器本体部の材料を背面で延長し、その延長部にボトルの首部に嵌め込む穴１１とその内周に係止用突起１２を設けて形成することが好ましい。【選択図】　　　　図２
2004018030.tif 000002
【特許請求の範囲】
【請求項１】
景品等の内容物を収納し、ボトル詰め商品に添付するために用いる剛性乃至準剛性の容器であって、該容器が、内容物を収納する容器本体部と、該容器本体部の背面に設けられたボトルの首部に嵌め込むための装着部を有し、且つ、該容器本体部が、外側に弓形に張り出す前後の壁面板と、該壁面板の左右両側に連設された側面を閉鎖する側面板とで形成されていることを特徴とする景品等添付用の容器。
【請求項２】
前記装着部が、容器本体部から延長された容器材料の延長部で形成されると共に、該延長部に設けられたボトルの首部に対応する形状の穴と、該穴の内周に設けられた係止用突起で形成されていることを特徴とする請求項１記載の景品等添付用の容器。
【請求項３】
前記装着部が、容器本体部背面側の上端よりも下方の位置に設けられていることを特徴とする請求項１または２に記載の景品等添付用の容器。
【請求項４】
前記容器が板紙またはプラスチックシートを主体とする材料で形成されていることを特徴とする請求項１乃至３のいずれかに記載の景品等添付用の容器。
【発明の詳細な説明】
【０００１】
【発明の属する技術分野】
本発明は、景品等添付用の容器に関し、特に、ボトル詰め商品に景品等を添付して販売する際に、好適に使用できる容器であって、景品、試用品、リーフレット等の内容物を安全に収納し、ボトルの首部に簡単に装着できると共に、外観がスマートで、更に、装着された容器が垂れ下がってボトルに施されたデザインを隠すことも防止できるようにした景品等添付用の容器に関する。
【０００２】
【従来の技術】
従来、ボトル詰め商品に、景品、試用品、リーフレットなどの内容物を添付して販売する際には、例えば、内容物を収納する袋などの上部にボトルの首部に嵌め込んで吊り下げるための吊り下げ部を設けた袋状容器が用いられていた。
【０００３】
【発明が解決しようとする課題】
しかし、このような袋状容器は、剛性がなく、内容物を充填する際、一般的に口開きが悪く、充填作業が厄介であり、内容物の充填後、袋を封止する際も、ヒートシール装置などを使用する必要があり、内容物の充填、シールといった一連の作業が厄介になる問題があった。
また、袋の外観に関しても、内容物が比較的偏平な形状や整った形状のものの場合はよいが、立体形状でいびつな形状のものの場合、袋の表面に内容物のいびつな形状が現れ外観が損なわれる問題もあった。
更に、袋の寸法が多少でも大きくなると、ボトルの首部から下方に垂れ下がってボトルに施されたデザインが隠され、商品自体の販売促進効果が損なわれる問題もあった。
【０００４】
本発明は、このような問題点を解決するためになされたものであり、その目的とするところは、景品、試用品、リーフレットなどの内容物を収納し、ボトル詰め商品に添付して販売するために用いる容器であって、内容物を安全に収納でき、ボトルの首部に簡単に装着できると共に、外観がスマートで、更に、容器の寸法が多少大きい場合でも、ボトルへの取り付け位置を高くでき、ボトルに施されたデザインを隠すことも防止できるようにした景品等添付用の容器を生産性よく提供することにある。
【０００５】
【課題を解決するための手段】
上記の課題は、以下の本発明により解決することができる。
即ち、請求項１に記載した発明は、景品等の内容物を収納し、ボトル詰め商品に添付するために用いる剛性乃至準剛性の容器であって、該容器が、内容物を収納する容器本体部と、該容器本体部の背面に設けられたボトルの首部に嵌め込むための装着部を有し、且つ、該容器本体部が、外側に弓形に張り出す前後の壁面板と、該壁面板の左右両側に連設された側面を閉鎖する側面板とで形成されていることを特徴とする景品等添付用の容器からなる。
【０００６】
本発明において、容器の材料は、適度の剛性を有する材料であれば特に限定はされないが、容器の生産性の点から、通常の折り畳み箱と同様な工程、即ち、打ち抜き、製凾などの工程で容器の製造が可能な材料であることが好ましく、例えば、板紙、プラスチックシートなどの単独のシートのほか、これらを基材とする積層シートを好適に使用することができる。
【０００７】
前記装着部は、景品等の内容物を収納する容器本体部とは別に、例えば、板紙などを打ち抜いて作製された装着部材を容器本体部の背面に接合して設けてもよく、また、容器本体部を形成する容器材料を、容器背面側で延長して、その部分にボトルの首部に嵌め込むための穴などを設ける方法で形成してもよい。
【０００８】
前記のような構成を採ることにより、本発明の景品等添付用の容器は、板紙などを用いた通常の折り畳み箱と同様な工程で安価に且つ生産性よく製造することができる。
また、少なくとも容器本体部が、剛性乃至準剛性のシート材料で形成されると共に、外側に弓形に張り出す前後の壁面板と、該壁面板の左右両側に連設された側面を閉鎖する側面板とで形成されているので、容器を組み立てた時、前後の壁面が滑らかな曲面で形成され、外観をスマートにできると共に、内容物の充填も、左右の側面のうち一方を閉鎖した後、もう一方の開口する側面から容易に充填することができ、充填後、開口する側面の側面板を折り曲げて容易に閉鎖することができる。
内容物が充填された容器をボトルの首部に装着する際も、容器本体部の背面に、ボトルの首部に嵌め込むための装着部が設けられているので、その装着部をボトルの首部に容易に嵌め込んで装着することができる。
【０００９】
請求項２に記載した発明は、前記装着部が、容器本体部から延長された容器材料の延長部で形成されると共に、該延長部に設けられたボトルの首部に対応する形状の穴と、該穴の内周に設けられた係止用突起で形成されていることを特徴とする請求項１記載の景品等添付用の容器からなる。
【００１０】
上記延長部に設ける穴は、この部分をボトルの首部に嵌め込んで容器をボトルに装着するためのものであり、ボトルの首部にスムーズに嵌め込める程度の大きさであればよく、その形状は、例えば、円形、楕円形などのほか、キャップの形状も考慮して自由に設計することができる。
また、上記穴の内周に設ける係止用突起は、その穴をボトルの首部に嵌め込んで容器をボトルに装着した時、ボトルの首部に外側から接して安定性よく容器を係止するものであり、係止用突起の形状や個数は任意に設計して設けることができる。
【００１１】
このような構成を採ることにより、前記請求項１に記載した発明の作用効果に加えて、容器の装着部を容器本体部と同一の材料で形成でき、且つ、装着部および装着部に設ける穴やその内周の係止用突起も、容器のブランク板を打ち抜いて作製する際、同時に形成することができるので、景品等添付用の容器を低コストで一層生産性よく製造することができる。
【００１２】
請求項３に記載した発明は、前記装着部が、容器本体部背面側の上端よりも下方の位置に設けられていることを特徴とする請求項１または２に記載の景品等添付用の容器からなる。
【００１３】
このような構成を採ることにより、前記請求項１または２に記載した発明の作用効果に加えて、景品等の内容物を収納した容器を、その装着部でボトルの首部に装着した時、容器本体部を一層高い位置に保持できるので、容器本体部が下方に垂れ下がってボトルの表面に施されたデザインを隠すことを防止することができる。
従って、ボトルのデザインを明瞭に見せることができ、デザインによる販売促進効果が損なわれることもなくなる。
【００１４】
請求項４に記載した発明は、前記容器が板紙またはプラスチックシートを主体とする材料で形成されていることを特徴とする請求項１乃至３のいずれかに記載の景品等添付用の容器である。
【００１５】
上記板紙またはプラスチックシートを主体とする材料としては、前述したように、板紙またはプラスチックシートの単独のシートのほか、これらを基材とする積層シートを使用することができ、これらの中から、容器に収納する景品等の内容物に応じて、適するものを選択して使用することができる。
例えば、容器に収納する内容物を見せたくない場合は、板紙を使用すればよく、内容物を見せたい場合は、窓抜きした板紙に透明フィルムを窓貼りまたは全面貼りして容器を作製してもよく、また、ポリエチレンテレフタレートなどのポリエステル、トリアセチルセルロース、硬質ポリ塩化ビニルなどの透明なプラスチックシートを使用することもできる。
【００１６】
前記のような構成を採ることにより、前記請求項１乃至３のいずれかに記載した発明の作用効果に加えて、容器に適度の剛性を付与できると共に、容器に収納する内容物に応じて、透明な容器でも、不透明な容器でも容易に対応することができる。また、容器の製造を通常の折り畳み箱と同様な工程で行えるので、一層生産性よく景品等添付用の容器を製造することができる。
【００１７】
【発明の実施の形態】
以下に、本発明の景品等添付用の容器の実施の形態について説明する。
本発明の景品等添付用の容器は、先に説明したように、景品、試用品、リーフレット等の内容物を収納し、ボトル詰め商品に添付するために用いる剛性乃至準剛性の容器であって、該容器が、内容物を収納する容器本体部と、該容器本体部の背面に設けられたボトルの首部に嵌め込むための装着部を有し、且つ、該容器本体部が、外側に弓状に張り出す前後の壁面板と、該壁面板の左右両側に連設された側面を閉鎖する側面板とで形成された構成を基本とするものである。
【００１８】
また、本発明は、前記装着部が、容器本体部から延長された容器材料の延長部で形成されると共に、該延長部に設けられたボトルの首部に対応する形状の穴と、該穴の内周に設けられた係止用突起で形成された構成、そして、前記装着部が、容器本体部背面側の上端よりも下方の位置に設けられた構成、更に、前記容器が、板紙またはプラスチックシートを主体とする材料で形成された構成を含むものである。
【００１９】
このような構成の景品等添付用の容器に用いる材料は、前述したように、板紙またはプラスチックシートの単独のシートのほか、これらを基材とする積層シートを好適に使用することができる。
板紙では、例えばコートアイボリー、コートカード、特板（特殊板紙）、コートマニラボール、コートボールなど、一般のカートンに使用される板紙は何でも使用することができる。これらは、表面の白さや印刷適性の点では、クレーコートなどを表面に塗工したコート紙であることが好ましいが、ノーコート紙であっても構わない。板紙を用いる場合、その米坪量は、１５０〜４００ｇ／ｍ２　程度の範囲が適度の剛性を有する点で適当である。
【００２０】
プラスチックシートを使用する場合、適度の剛性を有すると共に、押し罫による折り曲げ性や、接着部の接着剤または熱溶着などによる接着性など容器への加工適性が必要であり、先にも挙げたように、ポリエチレンテレフタレートなどのポリエステル、トリアセチルセルロース、硬質ポリ塩化ビニルなどのシートを使用することができる。このようなプラスチックシートの厚みは、０．１２〜０．３５ｍｍ程度が適当である。
【００２１】
また、前記のような容器材料には、必要に応じて絵柄、文字などの印刷を施すことができる。
印刷方式は、特に限定はされず、オフセット印刷、グラビア印刷、フレキソ印刷、スクリーン印刷、活版印刷などいずれも可能である。
【００２２】
本発明において、容器本体部の背面に設ける装着部に関しては、特に限定はされず、ボトルの首部に容器本体部を係止できるものであれば何でもよい。
例えば、リボンやテープ材料で形成したもの、或いは、板紙やプラスチックシートなどを打ち抜いてボトルの首部に嵌め込む穴などを設けて形成したものなど、別部材による装着部を接着剤やはとめなどを用いて、容器本体部の背面に取り付けてもよく、また、先にも説明したように、容器本体部の材料を容器の背面で延長して、その延長部にボトルの首部に嵌め込む穴などを設ける方法で、容器本体部と一体化した形式で装着部を設けてもよい。
只、景品等添付用の容器を、低コストで生産性よく製造するためには、後者の容器本体部の材料を容器の背面で延長して、その延長部にボトルの首部に嵌め込む穴などを設けて装着部を形成する方法を採ることが一層好ましい。
【００２３】
【実施例】
以下に、図面を用いて本発明を更に具体的に説明する。
但し、本発明は、その要旨を超えない限り以下の図面に限定されるものではない。
図１は、本発明の景品等添付用の容器に用いるブランク板の一実施例の構成を示す平面図である。
また、図２は、本発明の景品等添付用の容器の一実施例の構成を示す斜視図であり、図１に示したブランク板の接着部を接着し、容器の組み立てを行った後の形状、即ち、容器をボトルの首部に装着する前の形状を示す斜視図である。
【００２４】
図１に示したブランク板２０は、図において上部に示した装着部２と、その下に押し罫９ａ　を介して連設された容器本体形成部１とで構成され、容器本体形成部１は、更に上部から下部にかけて、接着片７と、左右に外側の側面板４ａ　、４ｂ　が内側に弓形に反る押し罫９ｄ　、９ｅ　を介して連設された前面板３と、同様に左右に内側の側面板６ａ　、６ｂ　が内側に弓形に反る押し罫９ｆ　、９ｇ　を介して連設された背面板５が、それぞれ横方向の押し罫９ｂ　、９ｃ　を介して連設されて構成されている。
【００２５】
また、前記内側の側面板６ａ　、６ｂ　の外側中間部には、それぞれ指掛け用切り欠き部１０が設けられ、容器に収納された内容物を取り出す際、この部分の開封を容易に行えるようになっている。
前記装着部２は、その中央部にこの場合円形の装着用の穴１１が設けられると共に、その内周に係止用突起１２が、この場合四箇所に設けられて構成されており、ボトルの首部に容器を装着する際、装着部２をボトルの首部に嵌め込みやすくすると共に、装着された容器が簡単には脱落しないようになっている。
【００２６】
前記装着用の穴１１の形状や、その内周に設けた係止用突起１２の形状と個数などは、代表的な例を示したものであり、図示した例に限定はされず、ボトルのキャップおよび首部の形状に応じて、装着が容易で且つ簡単に脱落しない形状であれば自由に設計することができる。特に係止用突起１２は不要な場合は省略してもよい。
このようなブランク板２０は、その材料として前記板紙またはプラスチックシート、或いはこれらを基材とする積層シートを用いることにより、通常の紙器のブランク板と同様に、打ち抜き装置により生産性よく製造することができる。
【００２７】
上記ブランク板２０を用いて景品等添付用の容器を形成する手順は、例えば、接着片７の背面側の接着部８ａ　に接着剤を塗布し、背面板５を横方向の押し罫９ｃ　で背面側に折り返して前面板３の背面に重ねた後、接着片７を装着部２と共に横方向の押し罫９ｂ　で背面側に折り返して背面板５の上に重ねて、重ね合わされた接着部８ａ　、８ｂ　を圧着して接着させ、背面側に装着部２が設けられ、偏平に畳まれたスリーブ状の容器を作製する。
このようなスリーブ状の容器のは、通常の紙器の製凾と同様に、例えばサック貼り機を使用して、ブランク板を高速で貼り合わせて製造することができる。
【００２８】
上記偏平に畳まれたスリーブ状の容器に内容物を充填する際は、容器の上下の端部、即ち、押し罫９ｂ　と押し罫９ｃ　の部分を、両側から内側に向けて押圧し、前面板３と背面板５とを、それぞれの左右に連設された側面板と共に外側に弓形に張り出させて筒状体を形成し、開口する両側の側部のうち、一方の側部を、例えば、内側の側面板６ａ　と外側の側面板４ａ　とを、この順にそれぞれ弓形の押し罫９ｆ　、９ｄ　に沿って順次内側に折り曲げることにより、内側の側面板６ａ　と外側の側面板４ａ　とが、それぞれ内側に弓形に反る形状に折り曲げられ、この側部が固定性よく閉鎖される。
【００２９】
次いで、開口するもう一方の側部から、内容物を充填した後、その側部を前記と同様に、内側の側面板６ｂ　と外側の側面板４ｂ　とを、この順にそれぞれ弓形の押し罫９ｇ　、９ｅ　に沿って順次内側に折り曲げることにより、内側の側面板６ｂ　と外側の側面板４ｂ　とが、それぞれ内側に弓形に反る形状に折り曲げられ、この側部が固定性よく閉鎖され、図２に示した形状の景品等添付用の容器１００を形成することができる。
この時、容器本体部５０の左右両側の内側と外側の側面板（６ａ　、４ａ　）、（６ｂ　、４ｂ　）は、それぞれ固定性よく折り曲げられるので内側と外側の側面板の間に特に接着剤を用いて固定する必要はないが、悪戯防止などを必要とする場合は、接着剤を用いて接着することもできる。
【００３０】
図２に示した景品等添付用の容器１００は、前述したように、図１に示した構成のブランク板２０を用いて形成したものであり、内容物を収納する容器本体部５０と、その背面に容器本体部５０の形成材料を延長して設けられたボトルの首部に嵌め込んで容器本体部５０をボトルに装着するための装着部２とで構成されている。
【００３１】
このような構成を採ることにより、装着部２を、容器本体部５０と同時に板紙などを打ち抜いて形成できるので、別に作製した装着用部材を取り付ける必要がなく、景品等添付用の容器１００を生産性よく且つ低コストで製造することができる。
【００３２】
容器の背面に設ける装着部２の位置は、図１に示したブランク板２０の構成において、接着片７の上下方向の長さを調節することにより、容器の上端よりも下方に任意の長さで下げることができるので、ボトルに装着した時、容器本体部５０をより高い位置に保持でき、一層確実にボトル表面のデザインを隠すことを防止できる。
仮に、装着部２を容器の上端に設けたい場合でも、図１に示したブランク板２０の構成において、装着部２を前面板３の上に押し罫を介して直接連設し、接着片７を背面板５の下側に押し罫を介して設ける構成に変更することにより対応することができる。
【００３３】
また、容器本体部５０は、前後の壁面が、外側に弓形に張り出す形状の前面板３と背面板５で形成されると共に、左右の側面も、内側に弓形に反る形状の内側と外側の側面板（４ａ　、６ａ　）、（４ｂ　、６ｂ　）で形成されるので、容器の外面全体が滑らかな曲面で形成され、外観がスマートになり意匠性に優れている。
【００３４】
内容物を収納した容器１００をボトルの首部に装着する際は、装着部２に、装着用の穴１１と、その内周に係止用突起１２が設けられているので、装着用の穴１１をボトルの首部に容易に嵌め込んで装着することができる。また、装着後は、係止用突起１２が、ボトルの首部に周囲から接して装着部２を係止するので、装着部２が簡単に外れることはなく、容器１００を安全にボトルの首部に装着することができる。
【００３５】
また、装着された容器１００は、容器本体部５０の上下の端部が厚みのない形状であり、且つ、ボトルの首部の脇に接するように装着されるので収まりがよく、前述したように、容器本体部５０がボトルの側部に垂れ下がってボトルの表面のデザインを隠すこともなく体裁よく装着できる。
【００３６】
【発明の効果】
以上、詳しく説明したように、本発明によれば、景品、試用品、リーフレットなどの内容物を収納し、ボトル詰め商品に添付して販売するために用いる容器であって、外観がスマートで意匠性に優れると共に、内容物を安全に収納でき、ボトルの首部への装着も容易でその係止性もよく、更に、ボトルの首部への取り付け位置を高くでき、ボトルの表面に施されたデザインを、隠すことがなく、明瞭に見せることのできる景品等添付用の容器を低コストで生産性よく提供できる効果を奏する。
【図面の簡単な説明】
【図１】本発明の景品等添付用の容器に用いるブランク板の一実施例の構成を示す平面図である。
【図２】本発明の景品等添付用の容器の一実施例の構成を示す斜視図であり、図１に示したブランク板を用いて作製した景品等添付用の容器の斜視図である。
【符号の説明】
１　容器本体形成部
２　装着部
３　前面板
４ａ　、４ｂ　　外側の側面板
５　背面板
６ａ　、６ｂ　　内側の側面板
７　接着片
８ａ　、８ｂ　　接着部
９ａ　、９ｂ　、９ｃ　、９ｄ　、９ｅ　、９ｆ　、９ｇ　　押し罫
１０　指掛け用切り欠き部
１１　装着用の穴
１２　係止用突起
２０　ブランク板
５０　容器本体部
１００　景品等添付用の容器
【図１】
2004018030.tif 000003
【図２】
2004018030.tif 000004